(57)【要約】【課題】  柄部に鋸刃が折込まれた状態に収納可能な鋸にあって、柄部と鋸刃とが係止され、柄部と鋸刃との成す角度を任意な角度に調節可能にした折込み鋸を提供する。【解決手段】  鋸刃操作体１１に鋸刃７１、着脱レバー５１、案内具２１、柄部８１を取り付け、さらに案内具２１に回転具３１、送り棒４１が取り付けられ、着脱レバー５１に移動軸５４１、係止ピン５３１が装着された構成からなり、回転具３１の回転を送り棒４１と連結されている移動軸５４１の直線移動並びに係止ピン５３１の直線移動に変換し、係止ピン５３１によって鋸刃７１を回転させ鋸刃７１と柄部８１との成す角度を調整可能にした。【選択図】  図１
2005144796.tif 000002
【特許請求の範囲】
【請求項１】
鋸刃操作体（１１）には鋸刃取付部（１７）、着脱レバー取付部（１５）、案内具取付部（１２）及び柄取付部（１８）が形成され、
前記鋸刃取付部（１７）に鋸刃（７１）が回動自在に取り付けられ、前記柄取付部（１８）に柄部（８１）に形成されている折込溝（８３）に前記鋸刃（７１）を折り畳んで収納される前記柄部（８１）が固着され、
前記案内具取付部（１２）に案内具（２１）が固着され、前記案内具（２１）に形成されている回転切欠（２３）に緩挿された状態の回転具（３１）に送り棒（４１）が螺入され、前記送り棒（４１）には移動軸取付穴（４４）が形成され、
前記着脱レバー取付部（１５）にはガイド長穴（１６）と着装切欠（１５３）が形成されており、着脱レバー（５１）の移動軸穴（５４）には移動軸（５４１）が前記送り棒（４１）の前記移動軸取付穴（４４）に緩挿されつつ前記ガイド長穴（１６）に取り付けられ、前記着脱レバー（５１）の係止ピン穴（５３）には係止ピン（５３１）が係止され、前記係止ピン（５３１）が前記着装切欠（１５３）に遊挿される構成とし、
前記回転具（３１）の回転を前記送り棒（４１）と連結されている前記移動軸（５４１）の直線移動並びに前記係止ピン（５３１）の直線移動に変換し、前記係止ピン（５３１）によって前記鋸刃（７１）を回転させ前記鋸刃（７１）と前記柄部（８１）との成す角度を調整可能にしたことを特徴とする折込み鋸。
【請求項２】
前記鋸刃（７１）と前記柄部（８１）とを係止させる前記係止ピン（５３１）及び前記鋸刃（７１）に形成された係止溝（７３）を設けたことを特徴とする請求項１記載の折込み鋸。
【請求項３】
前記鋸刃操作体（１１）と前記着脱レバー（５１）に前記鋸刃（７１）と前記柄部（８１）の成す角度を示す角度表示（６１）を設けたことを特徴とする請求項１又は請求項２記載の折込み鋸。
【発明の詳細な説明】
【技術分野】
【０００１】
本発明は、柄部に鋸刃が折込まれた状態に収納可能な鋸にあって、柄部と鋸刃との成す角度を任意な角度に調節することを可能にした折込み鋸に関するものである。
【背景技術】
【０００２】
従来の折込み鋸には、図６に示されるように、鋸刃を柄側に折り畳めるように構成した折り込み鋸にあって、柄２の先端部に、鋸刃３を保持する背金４、あるいは鋸刃を回動自在の状態で取り付けるとともに、背金４、あるいは鋸刃の後方部を支持する支持具５を配置し、支持具５における移動子８の移動操作により、柄２に対する背金４、あるいは鋸刃の配置角度を任意に調整し得るように構成した鋸柄の構造が開示されている（例えば、特許文献１参照。）。
【０００３】
図７に示されるように、伸縮自在に形成した長柄２の先端部に、鋸替え刃７を保持するための背金３を回動自在の状態として取り付けるとともに、背金３に複数個の凹部８を形成し、背金３の回動状態を、背金保持部４に取り付けた固定具６の先端を背金３に形成した凹部８に係合させることにより、段階的にロックし得るように形成し、柄に対する鋸刃の角度を段階的に変えることができる鋸が開示されている（例えば、特許文献２参照。）。
【０００４】
さらに、図８に示されるように、押圧レバー１４は支点１５ｃを含む前側下半部分が二つ割りになっており、これら両側板２，２間に係合ピン１７ｃが貫設されている。一方、前記鋸刃３の後端部背縁側には、半円形の切欠１８ｃが設けられており、鋸刃３が支軸６を中心に回動して柄部１に対してほぼ一直線状に引出された使用態勢をとった際、前記押圧レバー１４が板ばね１６ｃで付勢されて、係合ピン１７ｃが切欠１８ｃに係合固定され、又、鋸刃３を折畳むときは、押圧レバー１４の後端部を板ばね１６ｃに抗して押圧し、鋸刃３の切欠１８ｃと押圧レバー１４の係合ピン１７ｃとの係合を解除することによって、鋸刃３は支軸６を中心にして回動し、前記柄部１の両側板２，２間の空隙に収納される替刃式折畳み鋸の鋸刃の固定方法が開示されている（例えば、特許文献３参照。）。
【０００５】
【特許文献１】特開２００２−９６３０４号公報（請求項１、第３頁図２及び図３）
【特許文献２】特開平１０−６７００１号公報（請求項１、第２欄第４９行乃至第３欄第１行及び第３頁図４）
【特許文献３】特開平７−２３７２０１号公報（第４欄第１８行乃至第３０行及び第４頁図１（Ａ）)
【発明の開示】
【発明が解決しようとする課題】
【０００６】
しかしながら、従来の折り込み鋸である特許文献１においては、樹木の剪定作業等を行なうような場合、切断しようとする枝の位置によって鋸刃の固定角度を変えれば、作業者が楽な姿勢で効率よく作業を行なえること、鋸刃の切れ味が落ちたような場合においても、鋸刃の固定角度を任意に設定することができるために、鋸刃をやや屈曲させて切り込み角をつけることによって、鋸刃の切断能力を向上させ、作業者への負担を軽減できること等の効果が期待できる（特許文献１第３欄「発明の効果」参照）。ところが、特許文献１では、柄に対する鋸刃の固定角度を任意に設定することができるが、鋸刃は固定されておらず折り込まれる方向には回転が自由であるために、樹木の枝等の切断後に鋸刃が切断の勢いによって折り込まれる可能性が想定されるために作業者に安全に対する不安感を与えるという問題があった。さらには、折り込まれる方向に角度を調節して１つの作業を終了し、次の作業のために折り込まれる方向と反対側に角度を調節しても、鋸刃と鋸刃の角度を調節する部材である移動子とは連動していないために、折れ角度の認知が困難であるという問題があった。
【０００７】
特許文献２においては、柄に対する鋸刃の角度を段階的に変えることができる結果、作業状況に応じた状態で効率よく切断作業を行い得るという利点（特許文献２第２欄「発明の効果」参照）並びに鋸替え刃を段階的にロックできることから、特許文献１に開示の折り込み鋸の問題点は解消されている。しかしながら、特許文献２では、鋸刃の角度を段階的に変えることができるが任意の角度に無段階で変えることができないこと、角度を変えるときには固定具の先端を凹部に係合させる必要があるが上述の動作は刃物である鋸刃を持って行う必要があるために怪我等に対する十分な安全性が保証されていないという問題点があった。
さらには、特許文献３においては、押圧レバーが支点回りに板ばねで付勢されて押圧レバーの係合ピンが鋸刃の切欠に係合固定されているが、柄部と鋸刃との角度を任意で無段階に変えることができないという問題点があった。
【課題を解決するための手段】
【０００８】
本発明は、鋸刃操作体１１には鋸刃取付部１７、着脱レバー取付部１５、案内具取付部１２及び柄取付部１８が形成され、前記鋸刃取付部１７に鋸刃７１が回動自在に取り付けられ、前記柄取付部１８に柄部８１に形成されている折込溝８３に前記鋸刃７１を折り畳んで収納される前記柄部８１が固着され、前記案内具取付部１２に案内具２１が固着され、前記案内具２１に形成されている回転切欠２３に緩挿された状態の回転具３１に送り棒４１が螺入され、前記送り棒４１には移動軸取付穴４４が形成され、前記着脱レバー取付部１５にはガイド長穴１６と着装切欠１５３が形成されており、着脱レバー５１の移動軸穴５４には移動軸５４１が前記送り棒４１の前記移動軸取付穴４４に緩挿されつつ前記ガイド長穴１６に取り付けられ、前記着脱レバー５１の係止ピン穴５３には係止ピン５３１が係止され、前記係止ピン５３１が前記着装切欠１５３に遊挿される構成とし、前記回転具３１の回転を前記送り棒４１と連結されている前記移動軸５４１の直線移動並びに前記係止ピン５３１の直線移動に変換し、前記係止ピン５３１によって前記鋸刃７１を回転させ前記鋸刃７１と前記柄部８１との成す角度を調整可能にしたことを特徴とする折込み鋸を提供することにより上記課題を解決したものである。
さらに、前記鋸刃７１と前記柄部８１とを係止させる前記係止ピン５３１及び前記鋸刃７１に形成された係止溝７３を設けたこと、前記鋸刃操作体１１と前記着脱レバー５１に前記鋸刃７１と前記柄部８１の成す角度を示す角度表示６１を設けたことを特徴とする折込み鋸を提供することにより上記課題を解決したものである。
【発明の効果】
【０００９】
本発明の折込み鋸は、鋸刃７１と柄部８１とが鋸刃操作体１１を介して一体化されているために、本折込み鋸が樹木の剪定作業等に使用されるときにおいても、樹木の枝等の切断後に鋸刃７１が切断の勢いによって折り込まれる可能性がなく作業者に安全感を与えるという効果がある。さらに、回転具３１の回転の方向によって先端側９０７並びに後端側９０８のどちらの方向にも係止ピン５３１が直線移動するために、任意の鋸刃角度に無段階で変えることができること、角度を変えるときの動作は回転具３１の回転のみにより行われるので刃物である鋸刃７１を持って行う必要がないために怪我等に対して十分な安全性が保証されているという効果を発揮すること、１つの作業を終了し、次の作業のために角度を調節しても、回転具３１の回転と鋸刃７１の回転が連動しているために、折れ角度の認知が目視により確認できるため便利に使用できるという効果も期待できる。
【発明を実施するための最良の形態】
【００１０】
本発明の柄部８１に対する鋸刃７１の角度を無段階に調整し、鋸刃７１を固定する機能を備えた折込み鋸の主要部の構成並びに動作を説明する。
本折込み鋸の基本構成は、折込み鋸を構成している鋸刃操作体１１に他の全ての構成部材が取り付けられていることである。すなわち、鋸刃操作体１１には柄取付部１８、案内具取付部１２、着脱レバー取付部１５及び鋸刃取付部１７が設けられている。
柄取付部１８の柄取付穴１８４によって柄部８１が固定されている。案内具取付部１２の案内具取付穴１２４によって案内具２１が固定されている。案内具２１には、送り棒４１の雄ねじ部４３を緩挿するための筒状部２２が形成され、回転具３１は筒状部２２の長手中央部に形成された回転切欠２３に装入されて回転具３１の雌ねじ部３４と送り棒４１の雄ねじ部４３を螺入させて取り付けられる。送り棒４１の中央部分には押座４２が先端側９０７には移動軸取付穴４４が形成されている。
【００１１】
着脱レバー５１は、着脱レバー取付部１５のガイド長穴１６、送り棒４１の移動軸取付穴４４及び着脱レバー５１の移動軸穴５４に移動軸５４１を挿入して取り付けられ、着脱レバー５１の係止ピン穴５３に係止ピン５３１を嵌入して取り付けられる。したがつて、係止ピン５３１は着脱レバー取付部１５の着装切欠１５３に遊挿される。着脱レバー５１の溝穴５５と送り棒４１の押座４２との間に板ばね５６３が取り付けられている。鋸刃取付部１７の鋸刃取付穴１７４によって鋸刃７１が回動自在に取り付けられている。
【００１２】
本発明の折込み鋸の動作は、回転具３１の回転を送り棒４１と連結されている移動軸５４１の直線移動並びに係止ピン５３１の直線移動に変換し、係止ピン５３１によって鋸刃７１を回転させ鋸刃７１と柄部８１との成す角度を調整可能にして行っている。すなわち、回転具３１の回転の方向によって先端側９０７並びに後端側９０８のどちらの方向にも係止ピン５３１が直線移動するために、任意の鋸刃角度に無段階で変えることができること、角度を変えるときの動作は回転具３１の回転のみにより行われるので刃物である鋸刃７１を持って行う必要がないために怪我等に対して十分な安全性が保証されているという効果を発揮することができる。さらに、１つの作業を終了し、次の作業のために角度を調節しても、回転具３１の回転と鋸刃７１の回転が連動しているために、折れ角度の認知が目視により確認できるため便利に使用できるという効果も期待できる。
【実施例】
【００１３】
本発明の折込み鋸の主な構成部材は、図１に示されるように、鋸刃操作体１１、案内具２１、回転具３１、送り棒４１、着脱レバー５１、鋸刃７１及び柄部８１である。
鋸刃操作体１１は、右操作体板１１１と左操作体板１１２とから成る略長方形状の鋼板であって、後端側９０８で右操作体板１１１と左操作体板１１２とを重ね合せて固結し、先端側９０７に向かって中央部が左右に凸状に段差を付けて間隙１１３が形成され、先端側９０７で右操作体板１１１と左操作体板１１２とを当接させた形状となっている。さらに、鋸刃操作体１１には、図２に示されるように、後端側９０８から先端側９０７に向かって順に柄取付部１８、案内具取付部１２、着脱レバー取付部１５、鋸刃取付部１７が右操作体板１１１及び左操作体板１１２の双方に形成されている。柄取付部１８には柄取付穴１８４が貫穿され、案内具取付部１２には切欠１２１が画設されると共に案内具取付穴１２４が貫穿されている。着脱レバー取付部１５にはガイド右長穴１６５及びガイド左長穴１６６が設けられると共に着装切欠１５３が画設され、鋸刃取付部１７には鋸刃取付穴１７４が貫穿されている。
【００１４】
図１に示されるように、案内具２１には、長方形状の鋼板の中央部を折り曲げ筒状に形成した筒状部２２が設けられ、筒状部２２の中央部に回転切欠２３が画設され、取付穴２４が貫穿されている。回転具３１は金属製の厚肉円筒であり内周に雌ねじ部３３が螺刻され、外周はローレット仕上げである。送り棒４１には、後端側９０８から先端側９０７に向かって順に雄ねじ部４５が螺刻され、平面状の押座４２が形成され、移動軸取付穴４４が押座４２と平行方向に貫穿されている。
【００１５】
図１に示されるように、着脱レバー５１は、プラスチック成形加工された、大略は天地逆さまにした角溝の形状であって両側面と上面を有する形状であり、両側面間には移動軸穴５４及び係止ピン穴５３が貫設された状態に成形され、上面の内側にばね溝穴５６が成形されている。鋸刃７１には後端側９０８方向の下部位置に刃取付穴７４が穿孔され、刃取付穴７４上部の背部の位置に円周部からなる摺動部７２が形成され、底部が円周の係止溝７３が切り欠かれている。柄部８１は、木製であり、柄部８１を鋸刃操作体１１に取付具１８５で取り付ける取付穴が穿孔され、折込溝８３が溝加工されている。
【００１６】
本発明の折込み鋸の各部材の組み付けについて説明する。
柄部８１と鋸刃７１の鋸刃操作体１１への組み付けは、図２及び図３に示されるように、柄部８１は鋸刃操作体１１の柄取付穴１８４にボルト及びナット等の取付具１８５によって取り付けられ、鋸刃７１は鋸刃操作体１１の鋸刃取付穴１７４及び鋸刃７１の刃取付穴７４に鋸刃取付具７４１によって取り付けられる。
続いて、鋸刃操作体１１への案内具２１、回転具３１、送り棒４１及び着脱レバー５１の組み付けを行なう。
まず、案内具２１への回転具３１と送り棒４１の組み付けは、図１に示されるように、案内具２１の筒状部２２に挿入された送り棒４１の雄ねじ部４３が案内具２１の回転切欠２３に緩挿された回転具３１の雌ねじ部３３に螺入されることによって行なわれる。回転具３１と送り棒４１が取り付けられた案内具２１は、図１に示されるように、鋸刃操作体１１の間隙１１３に内挿して、鋸刃操作体１１の案内具取付穴１２４と案内具２１の取付穴２４を使用して固定される。着脱レバー５１には、図１及び図２に示されるように、まず係止ピン５３１が着脱レバー５１の係止ピン穴５３に持着され、さらに板ばね５６３がばね溝穴５６に挿着され、移動軸５４１が鋸刃操作体１１の間隙１１３に緩挿させた送り棒４１の移動軸取付穴４４、ガイド右長穴１６５及びガイド左長穴１６６を貫通し移動軸穴５４に持着される。
【００１７】
本発明の折込み鋸の動作について、図３及び図４Ａに示されるように、まず鋸刃７１が折り畳まれた状態から鋸刃７１が着脱レバー５１に装着される状態までを説明すると、鋸刃７１を鋸刃開側９７２の方向に鋸刃取付具７４１の周りに回転させると板ばね５６３の付勢力に抗して係止ピン５３１が摺動部７２に当接しながら摺動し、着脱レバー５１が移動軸５４１を回転中心として回転し先端側が上昇し係止ピン５３１が係止溝７３に係合して鋸刃７１が鋸刃操作体１１に装着されることになる。上記の装着によって、鋸刃７１と柄部８１とが鋸刃操作体１１を介して一体化されているために、本折込み鋸が樹木の剪定作業等に使用されるときにおいても、樹木の枝等の切断後に鋸刃７１が切断の勢いによって折り込まれる可能性がなく作業者に安全に対する不安感を与えることがないという効果がある。
【００１８】
続いて、鋸刃７１と柄部８１との成す角度の調整は、図４Ｂに示されるように、移動軸５４１と係止ピン５３１は着脱レバー５１に固定されているから移動軸５４１と係止ピン５３１との間の距離は一定で変化しないこと、板ばね５６３の付勢力が係止ピン５３１の係止溝７３からの脱出を防止していること及び鋸刃７１が回動自在に鋸刃取付具７４１にて取り付けられていることから、送り棒４１が先端側９０７方向に直線移動するように回転具３１を回転させると送り棒４１の移動軸取付穴４４に嵌合されている移動軸５４１が鋸刃操作体１１のガイド右長穴１６５及びガイド左長穴１６６の内部を先端側９０７の方向に直線移動し、係止ピンも同様に直線移動し、係止ピン５３１が係止溝７３を先端側９０７方向へ直線移動すると、鋸刃７１が鋸刃閉側９７１方向に回転し鋸刃７１と柄部８１との成す角度が調整できることになる。また、送り棒４１が後端側９０８方向に直線移動するように回転具３１を回転させると送り棒４１の移動軸取付穴４４に嵌合されている移動軸５４１が後端側９０８の方向に直線移動し、係止ピンも同様に直線移動し、係止ピン５３１が係止溝７３を後端側９０８方向へ直線移動すると、鋸刃７１が鋸刃開側９７２方向に回転し鋸刃７１と柄部８１との成す角度を調整することも可能である。
したがって、回転具３１の左右の回転により鋸刃閉側９７１方向にも鋸刃開側９７２方向にも鋸刃７１を回転させて鋸刃７１と柄部８１との角度を任意の角度に調整できることが可能であるから、角度の調整のために鋸刃７１に手を触れる必要がないために使用者の安全が保障されるという効果が期待できる。
【００１９】
さらに、鋸刃７１の柄部８１の折込溝８３への収納は、図４Ｃに示されるように、着脱レバー５１の押し部５２を板ばね５６３の付勢力に抗して下方へ押すと着脱レバー５１が移動軸５４１を回転中心として回転するので係止ピン５３１が鋸刃７１の係止溝７３から上方に脱出し摺動部７２に影響されることなく鋸刃７１が鋸刃取付具７４１の周りに鋸刃閉側９７１の方向に回転可能となるので、鋸刃７１の背部分を押して鋸刃７１を回転させ折込溝８３に収納することになる。
【００２０】
本発明の折込み鋸において、回転具３１の回転により、移動軸５４１及び係止ピン５３１の直線移動と連動して着脱レバー５１が直線移動するために、図５（ａ）に示されるように、鋸刃操作体１１及び着脱レバー５１に角度表示６１を刻装することにより、容易に鋸刃７１と柄部８１との成す角度を認知することができる。また、本実施例では板ばね５６３を使用したが、図５（ｂ）に示されるように、着脱レバー５１の押し部５２と押座４２の間にコイルばね５２３を使用しても何ら差し支えない。
【図面の簡単な説明】
【００２１】
【図１】本発明に係る折込み鋸の主要部分の拡大正面図（ａ）及び一部断面拡大右側面説明図（ｂ）である。
【図２】本発明に係る折込み鋸の全体を表す右側面図である。
【図３】本発明に係る折込み鋸の鋸刃操作体１１を表す拡大右側面図である。
【図４Ａ】本発明に係る折込み鋸の動作を表した図であって、柄部８１と鋸刃７１とが一直線になったときの一部省略拡大説明図である。
【図４Ｂ】本発明に係る折込み鋸の動作を表した図であって、柄部８１と鋸刃７１とが任意の開き角度をなしたときの一部省略拡大説明図である。
【図４Ｃ】本発明に係る折込み鋸の動作を表した図であって、着脱レバー５１を押し込んで鋸刃７１を折り畳める状態にしたときの一部省略拡大説明図である。
【図５】本発明に係る折込み鋸の角度表示６１を示す一部省略拡大説明図（ａ）及びコイルばね５２３の使用形態を示す一部省略拡大説明図（ｂ）である。
【図６】従来の折込み鋸における、鋸柄の構造を示す説明図である。
【図７】従来の鋸における、鋸替え刃を段階的に保持する構成を示す説明図である。
【図８】従来の替刃式折畳み鋸における、鋸刃の切欠及び係合ピンを示す説明図である。
【符号の説明】
【００２２】
１１    鋸刃操作体
１１１    右鋸刃操作体板
１１２    左鋸刃操作体板
１１３    間隙
１２    案内具取付部
１２１    切欠
１２４    案内具取付穴
１５    着脱レバー取付部
１５３    着装切欠
１６    ガイド長穴
１６５    ガイド右長穴
１６６    ガイド左長穴
１７    鋸刃取付部
１７４    鋸刃取付穴
１８    柄取付部
１８４    柄取付穴
１８５    取付具
２１    案内具
２２    筒状部
２３    回転切欠
２４    取付穴
３１    回転具
３３    雌ねじ部
４１    送り棒
４２    押座
４３    雄ねじ部
４４    移動軸取付穴
５１    着脱レバー
５２    押し部
５２３    コイルばね
５３    係止ピン穴
５３１    係止ピン
５４    移動軸穴
５４１    移動軸
５６    ばね溝穴
５６３    板ばね
６１    角度表示
６１１    上角度表示
６１２    下角度表示
７１    鋸刃
７２    摺動部
７３    係止溝
７４    刃取付穴
７４１    鋸刃取付具
８１    柄部
８３    折込溝
９０    長手方向矢印
９０７    先端側
９０８    後端側
９１    幅方向矢印
９１１    右側
９１２    左側
９７    鋸刃回転方向矢印
９７１    鋸刃閉側
９７２    鋸刃開側
【図１】
2005144796.tif 000003
【図２】
2005144796.tif 000004
【図３】
2005144796.tif 000005
【図４Ａ】
2005144796.tif 000006
【図４Ｂ】
2005144796.tif 000007
【図４Ｃ】
2005144796.tif 000008
【図５】
2005144796.tif 000009
【図６】
2005144796.tif 000010
【図７】
2005144796.tif 000011
【図８】
2005144796.tif 000012